(57)【要約】      （修正有）【課題】保管時の空間占有体積を減少させ、梱包サイズを低減させるスチール製ブックエンドを提供する。【解決手段】底板１と垂直板２とに２分割する。底板１は曲げた部分１１にカギ１１ａを持ち、垂直板２にカギ１１ａを嵌め込める開口２１を持つ。垂直板２の上部にＶ字型切り込み２４と、コの字形状をした垂直板２の中心側にあたる内側にＶ字型切り込み２５を設け、垂直板２に垂直板を曲げた部分２０を差し込めるサイズの開口２２、２３を設けたことに加え、ペーパーファスナーを差し込めるサイズの固定用穴２２ｂ、２３ｂを設ける。【選択図】図１
0003172125.tif 000002
【実用新案登録請求の範囲】
【請求項１】
底板１と垂直板２とに２分割したことを特徴とするスチール製ブックエンド。
【請求項２】
底板１の曲げた部分１１にカギ１１ａを持ち、垂直板２にカギ１１ａを嵌め込める開口２１を持ったことを特徴とする請求項１に記載のスチール製のブックエンド。
【請求項３】
垂直板２の上部にＶ字型切り込み２４と、垂直板２の内側にＶ字型切り込み２５を設けたことを特徴とする請求項１に記載のスチール製ブックエンド。
【請求項４】
垂直板２に更に重ねて垂直板２を接続保持させる為の開口２２、２３を設け、且つ固定用穴２２ｂ、２３ｂを設けたことを特徴とする請求項１に記載のスチール製のブックエンド。
【請求項５】
垂直板２にペーパーファスナー３を差し込めるサイズの穴２１ａ、２１ｂ、２２ｂ、２３ａ、２３ｂを４ｃｍの間隔で配置したことを特徴とする請求項１に記載のスチール製のブックエンド。
【請求項６】
垂直板２の曲げた部分２０を２枚程度差し込める大きさの開口１２を底板１に設けたことを特徴とし、且つ底板１の曲げた部分１１を２枚程度差し込める開口２１を垂直板２に設けたことを特徴とする請求項１に記載のスチール製ブックエンド。
【考案の詳細な説明】
【技術分野】
【０００１】  本考案の内容は、分割可能な形状に加え、多用途に使用出来るスチール製ブックエンドに関するものである。
【背景技術】
【０００２】  通常のスチール製ブックエンドは、垂直部分にその空間体積が占有されて、整理し難い欠点に加え、運搬・保管に難点があった。【０００３】  底板部分に滑り止め機能を持たせたものや底板部分や垂直部分に穴をもった多機能システムブックエンド開発されている。
【特許文献１】特許公開２００１−３４６６３８
【０００４】  従来のブックエンドに多用途の機能を持たせる為、連結補助具を使う方法や磁石を利用する方法等が採用されている。
【特許文献２】登録実用新案第３１４１０５６号
【考案の開示】
【考案が解決しようとする課題】
【０００５】  従来のスチール製ブックエンドを構造的に２分割とし、垂直板部分による占有空間体積を減らし、保管時のスペースを減少させ、運搬も容易なものにさせること。【０００６】  適切なサイズの丸い穴や開口を、適切な位置に、適切な間隔で、垂直板に設けることで、多機能なものとすること。【０００７】  スチール製ブックエンドの底板と垂直板の、適切な位置に、適せつな形状の開口を設けることで、保管時の体積を更に減少させること。
【課題を解決しようとするための手段】
図面に従い説明する。
【０００８】  図１に示すように、底板１と垂直板２を２分割したスチール製ブックエンドとした。
【０００９】  図２、図３、図４に示すように、分割したブックエンドの底板１の曲げた部分１１に設けた下向きのカギ１１ａを、垂直板２に設けた開口２１に差し込み、引き下げロックさせることで、通常のブックエンドの機能を果たすことが出来るものとした。
【００１０】  図９の断面図に示すように、底板と垂直板の保管時に占有体積最小になるように、２枚の垂直板１の曲げた部分２０を１２の開口に差し込み、２枚の底板１の曲げた１１の部分を２１の開口に差し込み出来るようにした。
【００１１】  図９の断面図に示すように、１２と２１の開口の大きさを、２枚の底板１と２枚の垂直板２を重ねて嵌め込み出来るサイズとした。
【００１２】  図５に、垂直板２を積み重ねて接続する場合、垂直板２を曲げた部分２０を開口２３に差し込み、ペーパーファスナー３を差し込んで固定させた様子を示した。
【００１３】  図６に、垂直板２を積み重ねて接続する場合、ペーパーファスナー３を２３ｂと２１ｂの穴に合せて嵌め込める様子の断面図を示した。
【００１４】  図７に、垂直板２の上端部にＶ字型の切り込み２４を入れ、垂直板２の内側にＶ字型の切り込み２５を設けた。２４、２５の切り込み部分にクリップ４を差し込み、２枚の垂直板２を固定させる様子を示した。
【００１５】  図１０、図１１、図１２にクリップ４の詳細を示した。クリップ４の差し込み部分４１の両端部４２を差し込み易い様に広げたものとした。
【００１６】  底板１の適切な位置に２個のコの字型の開口１４を設け、ゴムバンドを嵌めて、滑り止めに利用出来るものとした。
【００１７】底板１に複数の穴１３を設け、吸着盤を嵌め込めることが出来るものとした。
【考案の効果】
【００１８】  従来のブックエンドに比較して、梱包体積が１／４から１／５になり、取り扱いや保管が非常に容易になる。
【００１９】  図９の断面図に示すように、２枚の底板１と２枚の垂直板２を重ねて嵌め込み出来るので、横ずれせず、バインドや梱包が容易になる。
【００２０】  スチール製ブックエンドの板の厚みは従来のものと同じものが使用出来、穴や開口部を打ち抜く為、ブックエンドの重さも従来のものより軽量となり、素材の省資源化に役立つものとなる。
【００２１】  図８に示す如く、垂直板２の上部に、嵌め込める溝を持ったＬＥＤライトなどを、嵌め込んで、高さの調整出来る読書灯として、使用出来るものとなる。
【００２２】
【考案を実施するための最良の形態】
【００２３】  図２、図３の示す様に、底板１の１０の部分を、垂直板２の２０の部分の厚み分だけ、プレス加工して、持ち上げたものとすればよい。【００２４】  図１に示す様に、滑り止め用にゴムバンド、や平ゴムバンドを利用出来るように、底板１にコの字型の開口１４を二箇所設けたものとした。【００２５】  図１に示す如く、底板１に吸着盤嵌め込む為に、直径９ｍｍ〜１２ｍｍ程度の穴１３を５箇所程度設けた。【００２６】  図２の例の示す様に、垂直板２上部に切り込み２４を２カ所、垂直板２の内側に切り込み２５を４箇所設けたものとした。【００２７】  図１に示す様に、垂直板１に直径６ｍｍ程度の穴２１ａ、２１ｂ、２２ｂ、２３ａ、２３ｂを、４ｃｍ間隔で設けることで、図１３に示す安価なペーパーフスナー３の穴３２の間隔は８ｃｍであるので、自由な位置に差し込める。穴の数はブックエンドエンドの大きさにより変更する。
【実施例】
【００２８】  図２、５、８にその実施例を示した。
【産業上の利用可能性】
【００２９】  特になし。
【図面の簡単な説明】
【００３０】
【図１】分割型ブックエンドの全体図面
【図２】ブックエンドの側面図面
【図３】ブックエンドの断面図面
【図４】底板と垂直板をロックさせるカギの部分の詳細面図
【図５】ブックエンドを２段に積み重ね接続したところの側面図
【図６】ブックエンドを２段に積み重ね接続させる場合の断面図
【図７】クリップにて２枚の垂直板を固定させる場合の詳細図
【図８】垂直板を２段に積み重ね接続しての上部利用の例
【図９】底板と垂直板を２枚ずつ重ねて保管体積を最小にした断図面
【図１０】クリップの全体図
【図１１】クリップの側面及び断面図面
【図１２】クリップの上部図面
【図１３】ペーパーファスナーの平面図及び断面図面
【符号の説明】
【００３１】１．スチール製ブックエンドの底板
２．スチール製ブックエンドの垂直板
３．ペーパーファスナー
４．クリップ
５．ＬＥＤライト
１０．底板に設けた、垂直板の厚み部分をプレスして、持ち上げた部分
１１．底板を垂直に折り曲げた部分
１１ａ．部分１１に下向けに設けたカギ
１１ｂ．部分１１に設けた穴
１３．底板に開けた穴
１４．ゴムバンドなど利用の場合のコの字型開口
２０．垂直板を曲げた部分
２１．１１ａを嵌め込む為の開口
２１ａ．穴
２１ｂ．穴
２２．積み重ね接続保持させる為の開口
２２ｂ．穴
２３．積み重ね接続保持させる為の開口
２３ａ．穴
２３ｂ．穴
２４．クリップ差し込みの為のＶ字型切り込み
２５．クリップ差し込みの為のＶ字型切り込み
３１．ペーパーファスナーの先端分
３２．ペーパーファスナーの穴
４１．クリップの差し込み口
４２．クリップの差し込み口の両端の開き
５１．ＬＥＤライト両端キャップ
【図１】
0003172125.tif 000003
【図２】
0003172125.tif 000004
【図３】
0003172125.tif 000005
【図４】
0003172125.tif 000006
【図５】
0003172125.tif 000007
【図６】
0003172125.tif 000008
【図７】
0003172125.tif 000009
【図８】
0003172125.tif 000010
【図９】
0003172125.tif 000011
【図１０】
0003172125.tif 000012
【図１１】
0003172125.tif 000013
【図１２】
0003172125.tif 000014
【図１３】
0003172125.tif 000015
【手続補正書】
【提出日】平成23年9月20日(2011.9.20)
【手続補正１】
【補正対象書類名】実用新案登録請求の範囲
【補正対象項目名】全文
【補正方法】変更
【補正の内容】
【実用新案登録請求の範囲】
【請求項１】
底板１と垂直板２とに２分割したことを特徴とするスチール製ブックエンド。
【請求項２】
底板１の曲げた部分１１にカギ１１ａを持ち、垂直板２にカギ１１ａを嵌め込める開口２１を持ったことを特徴とする請求項１に記載のスチール製のブックエンド。
【請求項３】
垂直板２の上部にＶ字型切り込み２４と、コの字形状をした垂直板２の中心側にあたる内側にＶ字型切り込み２５を設けたことを特徴とする請求項１に記載のスチール製ブックエンド。
【請求項４】
垂直板２に垂直板を曲げた部分２０を差し込めるサイズの開口２２、２３を設けたことに加え、ペーパーファスナー３を差し込めるサイズの固定用穴２２ｂ、２３ｂを設けたことを特徴とする請求項１に記載のスチール製のブックエンド。
【請求項５】
垂直板２にペーパーファスナー３を差し込めるサイズの穴２１ａ、２１ｂ、２２ｂ、２３ａ、２３ｂを４ｃｍの間隔で配置したことを特徴とする請求項１に記載のスチール製のブックエンド。
【請求項６】
垂直板２の曲げた部分２０を２枚程度差し込める大きさの開口１２を底板１に設けたことを特徴とし、且つ底板１の曲げた部分１１を２枚程度差し込める開口２１を垂直板２に設けたことを特徴とする請求項１に記載のスチール製ブックエンド。